(57)【要約】【課題】電動機の分解、組立作業を容易にするための電動機用治具を提供する。【解決手段】電動機用治具２は、固定側部材５６に支持される作業台５７を備える。作業台５７の上面がわに第１嵌入孔５９を形成し、電動機１の電機子７の一端部がわを第１嵌入孔５９に嵌入したとき、電機子７に対しケース本体１３と共に第１端部板１６が下方に向かって離脱可能となるよう電動機１が上記作業台５７に支持される。作業台５７の上面に第２端部板１８を摺動可能に載置した状態でボス部２０を嵌脱可能に嵌入させる第２嵌入孔６５を作業台５７の上面がわに形成する。第２嵌入孔６５に嵌入されたボス部２０が第２端部板１８と共に第２嵌入孔６５の軸心６４回りに回動可能となるようにする。作業台５７に回動可能に枢支され、回動により第２開口１７の開口縁部に対する第２端部板１８のカシメによる固着を可能とするカシメ用レバー７１を設ける。【選択図】図１
2014236558.tif 000002
【特許請求の範囲】
【請求項１】
電動機の分解、組立作業に使用される電動機用治具であって、
上記電動機が、モータケースと、このモータケースに両端支持される電機子とを備え、上記モータケースが、上記電機子と同じ軸心上に位置して内周面にマグネットを支持する筒形状のケース本体と、このケース本体の軸方向一端部の第１開口を閉じ、上記電機子の一端部を貫通させて支持する第１端部板と、上記ケース本体の他端部の第２開口を閉じるようその開口縁部に対しカシメにより固着される第２端部板と、上記軸心上で上記第２端部板の外面に形成され、上記電機子の他端部を支持するボス部とを備え、
固定側部材に支持される作業台を設け、この作業台の上面がわに第１嵌入孔を形成し、上記電機子の一端部がわを上記第１嵌入孔に嵌入したとき、上記電機子に対し上記ケース本体と共に第１端部板が下方に向かって離脱可能となるよう上記電動機が上記作業台に支持されるようにし、
上記作業台の上面に上記第２端部板を摺動可能に載置した状態で上記ボス部を嵌脱可能に嵌入させる第２嵌入孔を上記作業台の上面がわに形成し、上記第２嵌入孔に嵌入された上記ボス部が上記第２端部板と共に上記第２嵌入孔の軸心回りに回動可能となるようにし、上記作業台に回動可能に枢支され、その回動により上記第２開口の開口縁部に対する上記第２端部板のカシメによる固着を可能とするカシメ用レバーを設けたことを特徴とする電動機用治具。
【発明の詳細な説明】
【技術分野】
【０００１】
本発明は、車両搭載のラジエータファン駆動用などの電動機につき分解、組立作業をするとき、これらの作業が容易にできるようにするために使用される電動機用治具に関するものである。
【背景技術】
【０００２】
電動機は、下記特許文献１に示すように、通常、その外殻を構成するモータケースと、このモータケースに収容されると共にこのモータケースに両端支持される電機子と、上記モータケースに支持され、上記電機子と相対的に摺接して、この電機子に対し、その外部から電力を供給するブラシとを備えている。
【０００３】
また、従来、電動機には、上記モータケースが、上記電機子と同じ軸心上に位置して内周面にマグネットを支持する筒形状のケース本体と、このケース本体の軸方向一端部の第１開口を閉じ、上記電機子の一端部を貫通させて支持する第１端部板と、上記ケース本体の他端部の第２開口を閉じるようその開口縁部に対しカシメにより固着される第２端部板と、上記軸心上で上記第２端部板の外面に形成され、上記電機子の他端部を支持するボス部とを備え、上記ブラシが、上記モータケースの第２端部板の内面がわに支持されたものがある。
【０００４】
そして、電動機の駆動に際し、スイッチのオンにより上記ブラシを介し電機子に対し、その外部から電力を供給すると、この電機子は軸心回りに回転するよう駆動し、その駆動力が上記電機子の上記一端部から出力されて何らかの作動のために供されるようになっている。
【０００５】
一方、電動機の駆動中、上記ブラシは上記電機子に対し摺接し続けて経時的に摩耗するため、電動機の使用期間が長くなったり、電動機の性能が低下したりした場合には、電動機を一旦分解し、ブラシの摩耗程度を点検したり、摩耗が大きいブラシを新しいものに交換したりするなどの保守点検作業が求められる。また、その後の電動機の組立作業により、この電動機の再使用が可能とされる。
【先行技術文献】
【特許文献】
【０００６】
【特許文献１】特開平８−２２３８４８号公報
【発明の概要】
【発明が解決しようとする課題】
【０００７】
ところで、上記電動機の分解作業時には、まず、上記ケース本体の第２開口の開口縁部に対する第２端部板のカシメによる固着を解除して上記ケース本体の第２開口の開口縁部と上記第２端部板とを互いに離脱可能とし、次に、この第２端部板および電機子に対し上記ケース本体と共に第１端部板を離脱させて、上記第２端部板の内面がわのブラシをモータケースの外部に露出させ、上記ブラシへの視認や操作を可能にさせることが行われる。しかし、上記電機子とケース本体とはこのケース本体の内周面に支持されているマグネットの磁力により互いに強力に誘引されている。このため、上記したように電機子からケース本体を離脱させる場合には、上記磁力に対抗するだけの大きい外力が求められる。よって、電動機の分解作業は煩雑となりがちである。
【０００８】
一方、上記電動機の組立作業時には、まず、上記ケース本体内に上記電機子を収容し、次に、上記ケース本体の第２開口の開口縁部に対し第２端部板をカシメにより固着させるが、このようなカシメの作業は煩雑である。よって、電動機の組立作業も煩雑となりがちである。
【課題を解決するための手段】
【０００９】
本発明は、上記のような事情に注目してなされたもので、本発明の目的は、電動機の分解、組立作業を容易にするための電動機用治具を提供することである。
【００１０】
請求項１の発明は、電動機１の分解、組立作業に使用される電動機用治具２であって、
上記電動機１が、モータケース５と、このモータケース５に両端支持される電機子７とを備え、上記モータケース５が、上記電機子７と同じ軸心６上に位置して内周面にマグネット１２を支持する筒形状のケース本体１３と、このケース本体１３の軸方向一端部の第１開口１４を閉じ、上記電機子７の一端部を貫通させて支持する第１端部板１６と、上記ケース本体１３の他端部の第２開口１７を閉じるようその開口縁部に対しカシメにより固着される第２端部板１８と、上記軸心６上で上記第２端部板１８の外面に形成され、上記電機子７の他端部を支持するボス部２０とを備え、
固定側部材５６に支持される作業台５７を設け、この作業台５７の上面がわに第１嵌入孔５９を形成し、上記電機子７の一端部がわを上記第１嵌入孔５９に嵌入したとき（図５）、上記電機子７に対し上記ケース本体１３と共に第１端部板１６が下方に向かって離脱可能となるよう上記電動機１が上記作業台５７に支持されるようにし、
上記作業台５７の上面に上記第２端部板１８を摺動可能に載置した状態で上記ボス部２０を嵌脱可能に嵌入させる第２嵌入孔６５を上記作業台５７の上面がわに形成し、上記第２嵌入孔６５に嵌入された上記ボス部２０が上記第２端部板１８と共に上記第２嵌入孔６５の軸心６４回りに回動可能となるようにし、上記作業台５７に回動可能に枢支され、その回動により上記第２開口１７の開口縁部に対する上記第２端部板１８のカシメによる固着を可能とする（図１）カシメ用レバー７１を設けたことを特徴とする電動機用治具である。
【００１１】
なお、この項において、上記各用語に付記した符号や図面番号は、本発明の技術的範囲を後述の「実施例」の項や図面の内容に限定解釈するものではない。
【発明の効果】
【００１２】
本発明による効果は、次の如くである。
【００１３】
請求項１の発明は、電動機の分解、組立作業に使用される電動機用治具であって、
上記電動機が、モータケースと、このモータケースに両端支持される電機子とを備え、上記モータケースが、上記電機子と同じ軸心上に位置して内周面にマグネットを支持する筒形状のケース本体と、このケース本体の軸方向一端部の第１開口を閉じ、上記電機子の一端部を貫通させて支持する第１端部板と、上記ケース本体の他端部の第２開口を閉じるようその開口縁部に対しカシメにより固着される第２端部板と、上記軸心上で上記第２端部板の外面に形成され、上記電機子の他端部を支持するボス部とを備え、
固定側部材に支持される作業台を設け、この作業台の上面がわに第１嵌入孔を形成し、上記電機子の一端部がわを上記第１嵌入孔に嵌入したとき、上記電機子に対し上記ケース本体と共に第１端部板が下方に向かって離脱可能となるよう上記電動機が上記作業台に支持されるようにしており、次の効果が生じる。
【００１４】
即ち、上記構成の電動機の分解作業時には、まず、上記ケース本体の第２開口の開口縁部に対する第２端部板のカシメを解除して、上記ケース本体の第２開口の開口縁部と上記第２端部板とを互いに離脱可能とする。
【００１５】
一方、上記電機子の一端部がわを上記作業台の第１嵌入孔に嵌入させる。この場合、上記電動機におけるモータケースのケース本体と電機子とは、上記ケース本体の内周面に支持されているマグネットの磁力により互いに強力に誘引されている。このため、上記電動機は、上記第１嵌入孔の軸心上で、上記作業台の上面から上方に離れた位置で、この作業台に支持される。
【００１６】
次に、上記磁力に対抗しつつ、上記第２端部板および電機子に対し上記ケース本体と共に第１端部板を下方に向かって離脱させる。そして、このように第２端部板および電機子に対しケース本体および第１端部板を離脱させれば、上記第２端部板の内面がわがモータケースの外部に露出されて上記電動機の分解作業が終る。
【００１７】
つまり、上記した電動機の分解作業時には、上記電機子の一端部がわを作業台に支持させることにより、安定した固定状態の上記第２端部板および電機子に対し上記ケース本体と共に第１端部板を離脱させることができる。よって、上記した磁力の存在にかかわらず電動機の分解作業は容易にできる。
【００１８】
また、上記作業台の上面に上記第２端部板を摺動可能に載置した状態で上記ボス部を嵌脱可能に嵌入させる第２嵌入孔を上記作業台の上面がわに形成し、上記第２嵌入孔に嵌入された上記ボス部が上記第２端部板と共に上記第２嵌入孔の軸心回りに回動可能となるようにし、上記作業台に回動可能に枢支され、その回動により上記第２開口の開口縁部に対する上記第２端部板のカシメによる固着を可能とするカシメ用レバーを設けており、次の効果が生じる。
【００１９】
即ち、上記電動機の組立作業時には、まず、上記作業台の上面に上記第２端部板を載置すると共に上記ボス部を上記第２嵌入孔に嵌入させる。次に、上記第２嵌入孔の軸心回りに上記第２端部板とケース本体とを一体的に回動させ、上記第２嵌入孔の軸心周りの周方向で、上記第２端部板の被カシメ部を上記カシメ用レバーの回動軌跡位置に合致させる。そして、上記カシメ用レバーを回動させれば、このカシメ用レバーによる上記被カシメ部のカシメにより、上記ケース本体の上記第２開口の開口縁部に対し上記第２端部板が固着され、上記電動機の組立作業が終る。
【００２０】
つまり、上記電動機の組立作業時には、上記作業台の上面に上記第２端部板を載置すると共に上記ボス部を上記第２嵌入孔に嵌入し、この第２嵌入孔の軸心回りに上記第２端部板を所定位置にまで回動させ、そこで、上記カシメ用レバーを単に回動させれば、上記第２開口の開口縁部に対し上記第２端部板をカシメにより固着させることができる。よって、上記電動機の組立作業は容易にできる。
【００２１】
また、上記した電動機の分解、組立作業には上記作業台が共用されるため、その分、これら作業は簡単な構成の電動機用治具によって、安価に達成できる。
【図面の簡単な説明】
【００２２】
【図１】電動機と電動機用治具との側面断面図であって、電動機の組立作業を示す図である。
【図２】図１で示したものの平面断面図である。
【図３】図１で示したものの部分斜視図である。
【図４】図１で示したものの展開斜視図である。
【図５】電動機と電動機用治具との側面部分断面図であって、電動機の分解作業を示す図である。
【図６】図２に相当する図で、電動機の組立作業を示す図である。
【発明を実施するための形態】
【００２３】
本発明の電動機用治具に関し、電動機の分解、組立作業を容易にするための電動機用治具を提供する、という目的を実現するため、本発明を実施するための形態は、次の如くである。
【００２４】
即ち、電動機用治具は、電動機の分解、組立作業に使用されるものである。上記電動機は、モータケースと、このモータケースに両端支持される電機子とを備え、上記モータケースが、上記電機子と同じ軸心上に位置して内周面にマグネットを支持する筒形状のケース本体と、このケース本体の軸方向一端部の第１開口を閉じ、上記電機子の一端部を貫通させて支持する第１端部板と、上記ケース本体の他端部の第２開口を閉じるようその開口縁部に対しカシメにより固着される第２端部板と、上記軸心上で上記第２端部板の外面に形成され、上記電機子の他端部を支持するボス部とを備える。
【００２５】
固定側部材に支持される作業台が設けられる。この作業台の上面がわに第１嵌入孔が形成され、上記電機子の一端部がわを上記第１嵌入孔に嵌入したとき、上記電機子に対し上記ケース本体と共に第１端部板が下方に向かって離脱可能となるよう上記電動機が上記作業台に支持される。
【００２６】
上記作業台の上面に上記第２端部板を摺動可能に載置した状態で上記ボス部を嵌脱可能に嵌入させる第２嵌入孔が上記作業台の上面がわに形成される。上記第２嵌入孔に嵌入された上記ボス部が上記第２端部板と共に上記第２嵌入孔の軸心回りに回動可能とされる。上記作業台に回動可能に枢支され、その回動により上記第２開口の開口縁部に対する上記第２端部板のカシメによる固着を可能とするカシメ用レバーが設けられる。
【実施例】
【００２７】
本発明をより詳細に説明するために、その実施例を添付の図に従って説明する。
【００２８】
図１〜４において、符号１は電動機で、この電動機１は車両搭載のラジエータファン駆動用のものである。また、符号２は、上記電動機１の分解、組立作業に使用される電動機用治具２である。なお、上記電動機１は、車両における空調ファン用のものであってもよく、電気パワーステアリング用のものであってもよい。
【００２９】
上記電動機1は、その外殻を構成する板金製のモータケース５と、このモータケース５に収容されると共にこのモータケース５と同じ軸心６上でこのモータケース５に両端支持されるロータである電機子７と、上記モータケース５内でこのモータケース５にブラシホルダ８を介し支持され、上記電機子７の外周面と相対的に摺接してこの電機子７に対し、その外部から電力を供給するブラシ９とを備えている。
【００３０】
上記モータケース５は、上記軸心６上に位置して内周面にマグネット１２を支持する筒形状のケース本体１３と、このケース本体１３の軸方向一端部の第１開口１４を閉じ、上記電機子７の一端部を貫通させて第１軸受１５を介し支持する第１端部板１６と、上記ケース本体１３の他端部の第２開口１７を閉じるようその開口縁部にカシメにより固着される第２端部板１８と、上記軸心６上で上記第２端部板１８の外面に形成され、上記電機子７の他端部を第２軸受１９を介し支持するボス部２０と、上記ケース本体１３の外面から外方に向かって突設され、モータケース５を車体がわに支持させる複数（３つ）のブラケット２１とを備えている。
【００３１】
上記ケース本体１３は、上記軸心６上に位置する円筒体２５と、この円筒体２５の上記第２開口１７がわの開口縁部に一体的に形成される円環形状の外向きフランジ２６とを有している。上記第１端部板１６は、上記円筒体２５の上記第１開口１４がわの開口縁部に径大がわが一体的に結合される円錐台筒体２８と、この円錐台筒体２８の径小がわに一体的に形成される外向きフランジ２９とを有している。
【００３２】
上記第２端部板１８は、上記軸心６上に位置する円形板３１と、上記ケース本体１３の外向きフランジ２６を囲繞するよう上記円形板３１の外縁部に一体的に形成される円環形状の内向きフランジ３２とを有している。この内向きフランジ３２における上記軸心６周りの周方向の複数（４つ）箇所にそれぞれ一対の切り欠きが形成され、これら両切り欠きの間の部分がカシメ突片３３とされる。そして、上記第２端部板１８の円形板３１の外縁部とカシメられた上記各カシメ突片３３とで上記ケース本体１３の外向きフランジ２６が挟み付けられ、これにより、上記ケース本体１３の第２開口１７の開口縁部に上記第２端部板１８が固着される。
【００３３】
なお、図例では、上記カシメ突片３３は、上記内向きフランジ３２における上記軸心６周りの周方向で等間隔に配置されているが、不等間隔に配置してもよい。
【００３４】
上記第２端部板１８の上記軸心６上の部分が外方に向かって膨出させられることにより上記ボス部２０が形成される。このボス部２０は横断面が円形とされ、このボス部２０に上記第２軸受１９が圧入状に嵌入される。
【００３５】
前記電機子７は、上記軸心６上に位置する回転軸３６と、この回転軸３６の軸方向の中途部に外嵌固着される鉄心３７と、この鉄心３７に巻き付けられるコイル３８と、このコイル３８の上記ボス部２０がわに隣接するよう上記回転軸３６の軸方向の中途部に外嵌固着されるコンミテータ３９とを有している。上記回転軸３６の各端部のうち、上記第１端部板１６から外部に突出した突出端部に雄ねじ４０が形成される。この回転軸３６の突出端部に上記雄ねじ４０により不図示のラジエータファンが固着される。
【００３６】
前記ブラシホルダ８とブラシ９とはそれぞれ一対設けられ、上記各ブラシホルダ８は上記第２端部板１８の内面がわに支持される。上記各ブラシ９は上記各ブラシホルダ８に収容され、その各一端部が上記電機子７のコンミテータ３９の外周面に対し相対的に摺動可能に圧接するようコイルばね４３により付勢される。
【００３７】
上記モータケース５の径方向外端部の下端部にこのモータケース５の内外を連通させる連通孔４６が形成される。この連通孔４６は、上記モータケース５のケース本体１３の下端縁部に形成された切り欠き４７と、この切り欠き４７に対応するよう上記モータケース５の第２端部板１８の外縁部に形成された他の切り欠き４８とにより形成される。
【００３８】
上記ケース本体１３における上記他の切り欠き４８の縁部にコンセント４９が固着され、このコンセント４９と前記ブラシ９とを電気的に接続する接続線５０が設けられる。上記連通孔４６を通し上記コンセント４９に嵌脱可能に嵌合し、上記コンセント４９、接続線５０、およびブラシ９を通し電機子７に外部電力を供給するプラグ５１が設けられる。上記連通孔４６を開閉可能とする樹脂製カバー体５３が設けられ、このカバー体５３に上記プラグ５１が一体的に取り付けられる。上記カバー体５３が上記連通孔４６を閉じた状態で、上記コンセント４９にプラグ５１が嵌合し、かつ、上記カバー体５３は、上記各切り欠き４７，４８の少なくとも一部にそれぞれ密に嵌合する。また、上記カバー体５３に一対の係止フック５４が一体的に突設される。上記カバー体５３が上記連通孔４６を閉じたとき、上記各係止フック５４が上記切り欠き４７の内縁部に係止されて上記連通孔４６を閉じたままに保持する。
【００３９】
なお、図示しないが、上記第２端部板１８の内面に取り付けられ、この第２端部板１８の内面と上記ブラシホルダ８、コンセント４９、および接続線５０との間を仕切るベークライト板などの絶縁材が設けられる。
【００４０】
架台などの固定側部材５６の上面に支持される金属製で直方体形状の作業台５７が設けられる。この作業台５７の上面がわに垂直な軸心５８を有する第１嵌入孔５９が形成される。
【００４１】
図５において、前記電機子７の軸心６上で、この電機子７の一端部がわから外方に延出し、この電機子７の一端部がわの基端部が上記回転軸３６の雄ねじ４０に離脱可能に締結されるガイド軸６２が設けられる。このガイド軸６２は上記回転軸３６と同径、もしくはわずかにそれ以下の径寸法とされる。上記電機子７の一端部がわから延出した上記ガイド軸６２の延出端部は、上記第１嵌入孔５９に嵌脱可能とされる。また、上記作業台５７の上面がわに、上記軸心５８上に位置する円環形状のゴム製の弾性体６３が取り付けられる。
【００４２】
そして、上記ケース本体１３に対する上記第２端部板１８の各カシメ突片３３のカシメによる固着が解除されて、上記ケース本体１３の第２開口１７の開口縁部と上記第２端部板１８とが互いに離脱可能とされ、かつ、上記電機子７の回転軸３６に固着された上記ガイド軸６２の延出端部が上記第１嵌入孔５９に嵌入された場合、上記第２端部板１８および電機子７に対し上記ケース本体１３と共に第１端部板１６は下方に向かって離脱可能とされる。また、上記電機子７に対し上記ケース本体１３および第１端部板１６が下方に向かって所定寸法以上に離脱したとき、上記第１端部板１６の外向きフランジ２９が上記弾性体６３に弾性的に衝突して、それ以上の下方への移動が阻止されるようになっている。
【００４３】
図１，２，４において、上記作業台５７の上面がわに垂直な軸心６４を有する第２嵌入孔６５が形成される。上記作業台５７の上面に上記第２端部板１８を摺動可能に載置した状態で上記第２嵌入孔６５に対し上記ボス部２０が嵌脱可能に嵌入される。上記第２嵌入孔６５に嵌入された上記ボス部２０は上記第２端部板１８と共に上記第２嵌入孔６５の軸心６４回りに回動可能とされる。
【００４４】
上記の場合、モータケース５および電機子７の軸心６と、第１嵌入孔５９の軸心５８と、第２嵌入孔６５の軸心６４とは互いに同軸上に位置している。また、上記第２嵌入孔６５の内径寸法は上記第１嵌入孔５９のそれよりも大きくされて、この第１嵌入孔５９の上端に連設される。なお、上記第１嵌入孔５９と第２嵌入孔６５とは互いに同径であってもよい。また、これら５９，６５の各軸心５８，６４は、これら各軸心５８，６４に直交する方向で互いに離れていてもよい。
【００４５】
上記作業台５７の側面に締結具６８によりブラケット６９が締結され，このブラケット６９に水平に延びる枢支軸７０を介しカシメ用レバー７１が上下回動可能に枢支される。このカシメ用レバー７１は、上記ブラケット６９に対し枢支軸７０により上下回動可能に枢支されるレバー本体７３と、このレバー本体７３の回動部に締結具７４により位置変更可能に固着される球状のカシメ部７５とを有している。上記ブラケット６９、枢支軸７０、およびカシメ用レバー７１は、上記作業台５７上のモータケース５に干渉しないよう設けられる。なお、上記作業台５７とブラケット６９とは、これらを樹脂製にするなどして互いに一体的に形成してもよい。
【００４６】
図１で示すように、上記作業台５７の上面に上記第２端部板１８を載置すると共に上記第２嵌入孔６５にボス部２０を嵌入し、かつ、上記第２端部板１８の上面（内面）に上記ケース本体１３の外向きフランジ２６を載置させる。そして、この状態で、上記第２嵌入孔６５の軸心６４回りに上記第２端部板１８とケース本体１３とを一体的に回動させれば、上記第２嵌入孔６５の軸心６４周りの周方向で、上記第２端部板１８のカシメ突片３３が上記カシメ用レバー７１のカシメ部７５の回動軌跡位置に合致可能とされる。
【００４７】
上記カシメ部７５の回動軌跡位置に上記カシメ突片３３を合致させた状態で、上記カシメ用レバー７１を上方回動させれば、このカシメ用レバー７１のカシメ部７５は上記カシメ突片３３に圧接することとされ、この圧接により、このカシメ突片３３は屈曲するようカシメられるようになっている。このカシメにより、このカシメ突片３３と上記第２端部板１８の円形板３１の外縁部との間に上記ケース本体１３の外向きフランジ２６が挟み付けられて、上記ケース本体１３の上記第２開口１７の開口縁部に対し上記第２端部板１８が固着可能とされる。上記と同様にして、他のカシメ突片３３を順次カシメれば、上記ケース本体１３の上記第２開口１７の開口縁部に対する上記第２端部板１８の固着が完了する。
【００４８】
図５において、上記構成の電動機１の分解作業時には、まず、上記ケース本体１３の第２開口１７の開口縁部に対する第２端部板１８のカシメ突片３３によるカシメをペンチやニッパーなどを用い解除する。これにより、上記ケース本体１３の第２開口１７の開口縁部と上記第２端部板１８とを互いに離脱可能とする。この場合、このカシメ突片３３は上記内向きフランジ３２に対し折損するなど損傷しがちである。そして、このような損傷が生じた場合には、上記第２端部板１８は廃棄し、これを新しいものに交換することができる。
【００４９】
一方、上記電機子７の一端部がわである回転軸３６の雄ねじ４０に上記ガイド軸６２の基端部を固着する。そして、このガイド軸６２の延出端部を上記作業台５７の第１嵌入孔５９に嵌入させる。この場合、上記電動機１におけるモータケース５のケース本体１３と電機子７とは、上記ケース本体１３の内周面に支持されているマグネット１２の磁力により互いに強力に誘引されている。このため、上記電動機１は、上記第１嵌入孔５９の軸心５８上で、上記作業台５７の上面から上方に離れた位置で、この作業台５７に上記ガイド軸６２を介し支持される。
【００５０】
次に、上記磁力に対抗しつつ、上記各ブラケット２１を手の指で下方に押すなどして、上記第２端部板１８および電機子７に対し上記ケース本体１３と共に第１端部板１６を下方に向かって離脱させる。この場合、これらケース本体１３および第１端部板１６が、上記電機子７からある程度以上に離脱すると、上記磁力は急速に低下する。このため、上記電機子7から離脱した第１端部板１６は上記作業台５７に勢いよく衝突しがちとなるが、この衝突は上記弾性体６３に対してなされる。よって、この衝突時の衝撃力は上記弾性体６３により緩和されて、上記第１端部板１６が損傷することは防止される。そして、上記のように第２端部板１８および電機子７に対しケース本体１３および第１端部板１６を離脱させれば、上記第２端部板１８の内面がわのブラシホルダ８、ブラシ９、および接続線５０周りがモータケース５の外部に露出され、これらへの視認や操作が可能となって上記電動機１の分解作業が終る。
【００５１】
つまり、上記した電動機１の分解作業時には、上記電機子７の一端部がわを作業台５７に支持させることにより、安定した固定状態の上記第２端部板１８および電機子７に対し上記ケース本体１３と共に第１端部板１６を離脱させることができる。よって、上記した磁力の存在にかかわらず電動機１の分解作業は容易にできる。
【００５２】
次に、分解した上記電動機１における上記第２端部板１８の内面がわのブラシホルダ８やブラシ９を視認したり操作したりすることにより、上記ブラシ９の摩耗程度を点検したり、摩耗が大きいブラシ９を新しいものに交換したりするなどの保守点検作業をする。このようにブラシ９を新しいものに交換する場合には、新しいブラシホルダ８、ブラシ９、第２端部板１８、第２軸受１９、ばね４３、コンセント４９、および接続線５０の組み合せ体を別途に準備しておき、この組み合せ体を上記モータケース５のケース本体１３に組み付ければよい。
【００５３】
図６において、上記組み合せ体を上記モータケース５のケース本体１３に組み付ける場合における電動機１の組立作業時には、まず、上記作業台５７の上面に上記組み合せ体の第２端部板１８を載置すると共に上記ボス部２０を上記第２嵌入孔６５に嵌入させる。次に、上記組み合せ体において各ブラシホルダ８に挿入されて支持された両ブラシ９，９の間に、上記ばね４３の付勢力に対抗しながら二又治具７８を差し込む。そして、この二又治具７８により、上記各ブラシ９の間を上記電機子７のコンミテータ３９の径寸法以上に離間させる。
【００５４】
次に、図示しないが、上記二又治具７８の中途空間を通し上記ボス部２０内の第２軸受１９に上記電機子７の回転軸３６の端部を嵌入すると共に、上記両ブラシ９，９の間に上記電機子７のコンミテータ３９を挿入する。この状態で、上記両ブラシ９，９の間から上記二又治具７８を抜き出す。すると、上記ばね４３の付勢により各ブラシ９，９が上記コンミテータ３９の外周面に圧接する。
【００５５】
次に、図１〜３で示すように、作業台５７の上面に載置した上記組み合せ体の第２端部板１８の上面に上記ケース本体１３の外向きフランジ２６を載置する。次に、上記ケース本体１３の切り欠き４７と上記第２端部板１８の他の切り欠き４８とを合致させて、上記連通孔４６を形成する。次に、この連通孔４６に上記カバー体５３を嵌合させて上記連通孔４６を閉じると共に上記組み合せ体のコンセント４９に上記プラグ５１を嵌合させる。すると、上記第２端部板１８の上記軸心６周りでの所定位置に上記ケース本体１３の位置決めが精度よくなされる。
【００５６】
次に、上記作業台５７上で、上記第２嵌入孔６５の軸心６４回りに上記第２端部板１８とケース本体１３とを一体的に回動させ、上記第２嵌入孔６５の軸心６４周りの周方向で、上記第２端部板１８の被カシメ部であるカシメ突片３３を上記カシメ用レバー７１のカシメ部７５の回動軌跡位置に合致させる。そして、上記カシメ用レバー７１を上方回動させれば、このカシメ用レバー７１のカシメ部７５が上記カシメ突片３３に圧接してこのカシメ突片３３がカシメられ、このカシメにより、上記ケース本体１３の上記第２開口１７の開口縁部に対し上記第２端部板１８が固着される。他のカシメ突片３３についても、上記と同様にして次々とカシメを行えばよい。これにより、上記電動機１の組立作業が終る。
【００５７】
なお、上記した作業台５７上でのカシメ突片３３のカシメ作業において、上記第２嵌入孔６５の軸心６４回りに上記第２端部板１８、ケース本体１３、およびカバー体５３を一体的に回動させて上記カシメ突片３３を上記カシメ用レバー７１のカシメ部７５回動軌跡位置に合致させるときや、上記カシメ用レバー７１を回動させて上記カシメ突片３３のカシメをするときに、上記カバー体５３が邪魔になる場合には、このカバー体５３を上記連通孔４６から一旦離脱させればよい。
【００５８】
つまり、上記電動機１の組立作業時には、上記作業台５７の上面に上記第２端部板１８を載置すると共に上記ボス部２０を上記第２嵌入孔６５に嵌入し、この第２嵌入孔６５の軸心６４回りに上記第２端部板１８を所定位置にまで回動させ、そこで、上記カシメ用レバー７１を単に回動させれば、上記第２開口１７の開口縁部に対し上記第２端部板１８をカシメにより固着させることができる。よって、上記電動機１の組立作業は容易にできる。
【００５９】
また、上記した電動機１の分解、組立作業には上記作業台５７が共用されるため、その分、これら作業は簡単な構成の電動機用治具２によって、安価に達成できる。
【００６０】
なお、上記電機子７の回転軸３６の一端部が上記モータケース５から大きく突出する長さを有している場合には、上記ガイド軸６２は設けなくてもよい。
【符号の説明】
【００６１】
１    電動機
２    電動機用治具
５    モータケース
６    軸心
７    電機子
８    ブラシホルダ
９    ブラシ
１２  マグネット
１３  ケース本体
１４  第１開口
１５  第１軸受
１６  第１端部板
１７  第２開口
１８  第２端部板
１９  第２軸受
２０  ボス部
２５  円筒体
２６  外向きフランジ
２８  円錐台筒体
２９  外向きフランジ
３１  円形板
３２  内向きフランジ
３３  カシメ突片
４３  ばね
４６  連通孔
４７  切り欠き
４８  他の切り欠き
４９  コンセント
５０  接続線
５１  プラグ
５３  カバー体
５６  固定側部材
５７  作業台
５８  軸心
５９  第１嵌入孔
６２  ガイド軸
６３  弾性体
６４  軸心
６５  第２嵌入孔
７１  カシメ用レバー
７８  二又治具
【図１】
2014236558.tif 000003
【図２】
2014236558.tif 000004
【図３】
2014236558.tif 000005
【図４】
2014236558.tif 000006
【図５】
2014236558.tif 000007
【図６】
2014236558.tif 000008